(57)【要約】【課題】  簡素な構成であるとともに，電流遮断機構（ＣＩＤ）が作動した後であっても安全かつ容易に処分することのできる二次電池を提供すること。【解決手段】  電池ケースの内部で正負の端子部材の少なくとも一方に設けられ，電池ケース内部の圧力が予め決めた圧力値を超えた場合に，その端子部材における電極体側の部分と外部端子側の部分との間の導通を遮断するＣＩＤを有する二次電池が本発明の適用対象である。そして本発明の一態様における二次電池では，正負の端子部材には，少なくともその一方を回転させることにより，電池ケースの内部で互いに接触する導電性の通電部が形成されている。さらに，ＣＩＤの設けられている端子部材の通電部は，ＣＩＤによって導通が遮断された場合に電極体側となる部分に形成されている。【選択図】図２
2014086140.tif 000002
【特許請求の範囲】
【請求項１】
内部に電極体と電解液とを収容している電池ケースと，
前記電池ケースの内部で前記電極体に接続されているとともに，一部が前記電池ケースの外部に突出している外部端子となっている正負の端子部材と，
前記電池ケースの内部で前記正負の端子部材の少なくとも一方に設けられ，前記電池ケース内部の圧力が予め決めた圧力値を超えた場合に，その端子部材における前記電極体側の部分と前記外部端子側の部分との間の導通を遮断する電流遮断機構とを有する二次電池において，
前記正負の端子部材の少なくとも一方は，前記電池ケースとの取り付け面と交差する方向の軸を回転軸として，少なくとも有限の回転角度回転できるように設けられている可動端子部材であり，
前記正負の端子部材には，通常時には接触しておらず，前記可動端子部材が回転することにより前記電池ケースの内部で互いに接触する導電性の通電部が形成されており，
前記電流遮断機構の設けられている端子部材の前記通電部は，前記電流遮断機構によって導通が遮断された場合に前記電極体側となる部分に形成されていることを特徴とする二次電池。
【請求項２】
請求項１に記載の二次電池において，
前記正負の端子部材の前記通電部が互いに接触して形成される電流経路における少なくとも一部に，電気抵抗が１Ω以上の抵抗部が設けられていることを特徴とする二次電池。
【請求項３】
内部に電極体と電解液とを収容しているとともに，注液口が形成されている電池ケースと，
前記注液口を封止している注液栓と，
前記電池ケースの内部で前記電極体に接続されているとともに，一部が前記電池ケースの外部に突出している外部端子となっている正負の端子部材と，
前記電池ケースの内部で前記正負の端子部材の少なくとも一方に設けられ，前記電池ケース内部の圧力が予め決めた圧力値を超えた場合に，その端子部材における前記電極体側の部分と前記外部端子側の部分との間の導通を遮断する電流遮断機構とを有する二次電池において，
前記正負の端子部材の前記電池ケースの内部に位置する部分には，導電性の通電部が形成されており，
前記電流遮断機構の設けられている端子部材の前記通電部は，前記電流遮断機構によって導通が遮断された場合に前記電極体側となる部分に形成されており，
前記注液栓は，前記電池ケースの外側に露出している露出部と，前記電池ケースの内側に位置する導電性の導電部とを有するとともに，前記電池ケースとの取り付け面と交差する方向の軸を回転軸として，少なくとも有限の回転角度回転できるように設けられており，
前記導電部は，通常時には前記正負の端子部材の前記通電部の少なくとも一方には接触しておらず，前記注液栓が回転することにより，前記正負の端子部材の前記通電部に同時に接触するものであることを特徴とする二次電池。
【請求項４】
請求項３に記載の二次電池において，
前記導電部が前記正負の端子部材の前記通電部に同時に接触して形成される電流経路における少なくとも一部に，電気抵抗が１Ω以上の抵抗部が設けられていることを特徴とする二次電池。
【発明の詳細な説明】
【技術分野】
【０００１】
本発明は，密閉型の二次電池に関する。さらに詳細には，電池ケース内に電流遮断機構（ＣＩＤ：Ｃｕｒｒｅｎｔ  Ｉｎｔｅｒｒｕｐｔ  Ｄｅｖｉｃｅ）を備える二次電池に関するものである。
【背景技術】
【０００２】
従来より，正負の電極板などによって構成された電極体を，電解液とともに電池ケースの内部に封入してなる二次電池がある。二次電池は，電池ケース内部で電極体に接続されているとともに，一部が電池ケースの外部に突出して外部端子となっている端子部材を備えている。そして二次電池は，その外部端子を通して電極体において充放電を行う。
【０００３】
このような密閉型の二次電池では，過充電状態となってしまうことがある。過充電状態の二次電池においては，その状態よりさらに充電されることが防止されていなければならない。すなわち，二次電池には，過充電状態を検知し，電極体へ流れる電流を遮断する構成が必要である。二次電池の過充電状態を検知して電流を遮断する構成の１つとして，過充電に伴い上昇した電池ケースの内圧を検知して電流を遮断する感圧式のＣＩＤが知られている。（例えば，特許文献１参照）。このようなＣＩＤは，特許文献１にも記載されているように，二次電池の端子部材に設けられており，過充電に伴う内圧の上昇時には，端子部材の電極体側の部分と外部端子側の部分との間の導通を遮断することができる。
【０００４】
ところで，過充電状態の二次電池は，例えばリサイクルなどにおいて安全に取り扱うため，放電させなければならない。しかし，二次電池において，感圧式のＣＩＤは電池ケースの内部に配置されている。このため，過充電によってＣＩＤが作動した二次電池の放電は，その外部より外部端子などによって行うことができず，困難である。そこで例えば，電池ケースに穴を開け，端子部材のＣＩＤよりも電極体側の部分より新たな電流経路を形成する方法や，二次電池を水没させる方法などにより，ＣＩＤが作動した二次電池を放電させることが考えられる。
【０００５】
また，例えば特許文献２には，通常の充放電を行う正負の外部端子とは別に，電池ケースの外部に突出した補助端子を有する二次電池が開示されている。補助端子は，端子部材のＣＩＤよりも電極体側の部分に予め接続されている。これにより，ＣＩＤが作動した過充電状態の二次電池を，補助端子によって放電させることができるとされている。
【先行技術文献】
【特許文献】
【０００６】
【特許文献１】特開２０１０−１５７４５１号公報
【特許文献２】特開２００８−２３４９０３号公報
【発明の概要】
【発明が解決しようとする課題】
【０００７】
しかしながら，電池ケースに穴を開けて新たな電流経路を形成する方法や，二次電池を水没させる方法では，電池ケース内の電解液が外部に漏れてしまうおそれがある。また，補助端子を有する二次電池においては，その補助端子を設けるため，二次電池の構造や製造工程が複雑になってしまう。このため，二次電池のコストが高くなってしまうという問題があった。
【０００８】
本発明は，前記した従来の技術が有する問題点を解決するためになされたものである。すなわちその課題とするところは，簡素な構成であるとともに，ＣＩＤが作動した後であっても安全かつ容易に処分することのできる二次電池を提供することにある。
【課題を解決するための手段】
【０００９】
この課題の解決を目的としてなされた本発明の一態様における二次電池は，内部に電極体と電解液とを収容している電池ケースと，電池ケースの内部で電極体に接続されているとともに，一部が電池ケースの外部に突出している外部端子となっている正負の端子部材と，電池ケースの内部で正負の端子部材の少なくとも一方に設けられ，電池ケース内部の圧力が予め決めた圧力値を超えた場合に，その端子部材における電極体側の部分と外部端子側の部分との間の導通を遮断する電流遮断機構とを有する二次電池であって，正負の端子部材の少なくとも一方は，電池ケースとの取り付け面と交差する方向の軸を回転軸として，少なくとも有限の回転角度回転できるように設けられている可動端子部材であり，正負の端子部材には，通常時には接触しておらず，可動端子部材が回転することにより電池ケースの内部で互いに接触する導電性の通電部が形成されており，電流遮断機構の設けられている端子部材の通電部は，電流遮断機構によって導通が遮断された場合に電極体側となる部分に形成されていることを特徴とする二次電池である。
【００１０】
本発明の二次電池では，電池ケースの内圧が通常状態の範囲を超えて上昇したとき，電流遮断機構の作動により端子部材の導通が遮断される。この電流遮断機構による遮断動作は，一般的に，不可逆の動作である。つまり，電流遮断機構が作動した二次電池は，過充電状態であっても，外部端子を通して放電させることができない。
【００１１】
そこで，正負の端子部材には，電流遮断機構が作動した状態であっても電極体と導通している通電部を設けておき，可動端子部材である外部端子を回転させることにより通電部を互いに接触させて導通させる。これにより，通電部を通して電極体を通電させる電流経路を形成し，過充電状態の二次電池を強制的に放電させることができる。ここで，外部端子は電池ケースの外部に突出している。すなわち，本発明の二次電池では，電池ケースを開封などすることなく，二次電池を放電させることができる。このため，電解液が電池ケースの外部に漏れてしまうおそれがない。従って，電流遮断機構が作動した後，その二次電池を安全かつ容易に処分することができる。また，補助端子などの特段の部材を有していないため，本発明の二次電池の構成は，簡素である。
【００１２】
また上記に記載の二次電池において，正負の端子部材の通電部が互いに接触して形成される電流経路における少なくとも一部に，電気抵抗が１Ω以上の抵抗部が設けられていることが好ましい。強制放電させるときの電流経路に１Ω以上の抵抗を設けておくことにより，その電流経路を流れる電流を低減させることができる。これにより，正負の端子部材の通電部同士が導通される瞬間の放電火花や，放電時の二次電池の発熱を抑制できるため，二次電池を安全に放電させることができる。
【００１３】
また，本発明の他の態様における二次電池は，内部に電極体と電解液とを収容しているとともに，注液口が形成されている電池ケースと，注液口を封止している注液栓と，電池ケースの内部で電極体に接続されているとともに，一部が電池ケースの外部に突出している外部端子となっている正負の端子部材と，電池ケースの内部で正負の端子部材の少なくとも一方に設けられ，電池ケース内部の圧力が予め決めた圧力値を超えた場合に，その端子部材における電極体側の部分と外部端子側の部分との間の導通を遮断する電流遮断機構とを有する二次電池であって，正負の端子部材の電池ケースの内部に位置する部分には，導電性の通電部が形成されており，電流遮断機構の設けられている端子部材の通電部は，電流遮断機構によって導通が遮断された場合に電極体側となる部分に形成されており，注液栓は，電池ケースの外側に露出している露出部と，電池ケースの内側に位置する導電性の導電部とを有するとともに，電池ケースとの取り付け面と交差する方向の軸を回転軸として，少なくとも有限の回転角度回転できるように設けられており，導電部は，通常時には正負の端子部材の通電部の少なくとも一方には接触しておらず，注液栓が回転することにより，正負の端子部材の通電部に同時に接触するものであることを特徴とする二次電池である。
【００１４】
この二次電池では，正負の端子部材は，電流遮断機構が作動した状態であっても電極体と導通している通電部を有する。そして，電流遮断機構が作動した場合には，注液栓を回転させることによりその導電部を介して通電部を導通させる。これにより，通電部および導電部を通して電極体を通電させる電流経路を形成し，過充電状態の二次電池を強制的に放電させることができる。また，注液栓は，電池ケースの外部に露出している露出部により回転させることができる。従って，電流遮断機構が作動した後であっても，電池ケースを開封などすることなく，その二次電池を安全かつ容易に処分することができる。また，補助端子などの特段の部材を有していないため，その二次電池の構成は，簡素である。
【００１５】
また上記に記載の二次電池において，導電部が正負の端子部材の通電部に同時に接触して形成される電流経路における少なくとも一部に，電気抵抗が１Ω以上の抵抗部が設けられていることが好ましい。強制放電に係る放電火花や発熱を抑制でき，安全だからである。
【発明の効果】
【００１６】
本発明によれば，簡素な構成であるとともに，ＣＩＤが作動した後であっても安全かつ容易に処分することのできる二次電池が提供されている。
【図面の簡単な説明】
【００１７】
【図１】第１の形態に係る二次電池の断面図である。
【図２】第１の形態に係る二次電池の断面図（図１のＡ−Ａ断面図）である。
【図３】第２の形態に係る二次電池の断面図である。
【図４】第３の形態に係る二次電池の断面図である。
【図５】第３の形態に係る二次電池の断面図（図４のＢ−Ｂ断面図）である。
【発明を実施するための形態】
【００１８】
以下，本発明を具体化した形態について，添付図面を参照しつつ詳細に説明する。本形態は，密閉型で角形のリチウムイオン二次電池に本発明を適用したものである。
【００１９】
［第１の形態］
図１に，本形態の電池１００の断面図を示す。本形態の電池１００は，扁平形のリチウムイオン二次電池である。電池１００の外形を構成する電池ケース１０は，図１中奥行き方向に薄い，扁平な角型の金属製のケースである。電池ケース１０は，ケース本体１１と蓋材１２とを備えている。ケース本体１１は，図１中で上側の一面のみが開口した箱状のものであり，その開口箇所は，蓋材１２を接合することによって密閉されている。
【００２０】
電池１００は，電池ケース１０の内部に，電極体２０を収納してなるものである。また，電池ケース１０の内部には，リチウム塩を溶解させた有機溶剤よりなる電解液３０が収容されている。電極体２０は，帯状の正負の電極板とセパレータとを重ねて平たく捲回して構成したものである。このため，電極体２０は，電池１００において，充放電に寄与するものである。
【００２１】
また電池１００は，図１に示すように，正極端子１３１と負極端子１３２とを有している。正極端子１３１と負極端子１３２とはそれぞれ，電池ケース１０の蓋材１２から電池１００の外部へ突出している。正極端子１３１は，電池ケース１０の内部に位置する正極内部端子１４１を介して，電極体２０の正極板２１に接続されている。負極端子１３２は，電池ケース１０の内部に位置する負極内部端子１４２を介して，電極体２０の負極板２２に接続されている。通常の使用時の電池１００は全体として，正極端子１３１と負極端子１３２とを介して電極体２０において充放電を行うものである。
【００２２】
また，通常の使用時の電池１００において，電池ケース１０の内圧は，予め決まった範囲内で使用状況に応じて変化する。この電池１００の通常の使用時の圧力範囲を，通常圧とする。さらに，電池１００は，図１に示すように，正極内部端子１４１と正極端子１３１との間にＣＩＤ４０を有するものである。ＣＩＤ４０は，電池ケース１０の内部に位置している。
【００２３】
通常の使用時の電池１００において，正極端子１３１と正極内部端子１４１とは，ＣＩＤ４０を介して導通している。そして，ＣＩＤ４０は，電池１００の内圧が予め決めた作動圧力を超えると作動し，ＣＩＤ４０の箇所での電流経路を遮断するものである。ＣＩＤ４０の作動圧力は，電池１００の通常圧の上限よりも高い値に設定されている。
【００２４】
ＣＩＤ４０は，一定以上の圧力を受けると変形する部材を内部に含み，その部材の変形によって電流経路が遮断される構造を有している。ＣＩＤ４０の内部構造は，様々なものが従来より提案されており，それらの構造から適宜選択したものであってもよい。例えば，前記した特許文献１に記載されているものとしてもよい。あるいは，本出願人が以前に出願した国際公開番号ＷＯ２０１０／１４６７０１Ａ１に記載したものとすることもできる。本形態のＣＩＤ４０は，電池ケース１０の内部で蓋材１２の内面側に設けられている。そして，電池ケース１０の内圧が作動圧力をこえると，ＣＩＤ４０が作動し，正極内部端子１４１と正極端子１３１との間で電流経路が遮断される。
【００２５】
また，本形態の正極内部端子１４１は，図１に示すように，負極内部端子１４２側（図中左側）に向かって突出した正極凸部１４５を有している。負極内部端子１４２は，正極内部端子１４１側（図１中右側）に向かって突出した負極凸部１４６を有している。正極凸部１４５および負極凸部１４６は，後に詳述するように，ＣＩＤ４０が作動した電池１００において，電極体２０の正極板２１と負極板２２とを通電させるためのものである。図２は，図１に示すＡ−Ａ断面による電池１００の断面図である。通常時における負極内部端子１４２の位置は，図２に実線で示す位置である。
【００２６】
図１，２に示すように，正極凸部１４５および負極凸部１４６は，電池ケース１０とは導通されないように配置されている。さらに図２に示すように，正極凸部１４５および負極凸部１４６は，通常時には互いに導通されないように配置されている。なお，ＣＩＤ４０が作動した後であっても，正極凸部１４５と負極凸部１４６とがともに電池ケース１０とは導通されない状態，および，正極凸部１４５と負極凸部１４６とが互いに導通されない状態は維持される。
【００２７】
正極凸部１４５は，正極内部端子１４１に形成された一部であってもよいし，正極内部端子１４１に接合により取り付けられたものであってもよい。負極内部端子１４２の負極凸部１４６についても同様である。また，正極凸部１４５は，正極内部端子１４１のうち，ＣＩＤ４０に接続されている箇所と電極体２０の正極板２１に接続されている箇所との間の箇所に設けられている。このため，ＣＩＤ４０が作動した後であっても，正極凸部１４５と電極体２０の正極板２１との導通は維持される。なお，ＣＩＤ４０が作動した後であっても，負極凸部１４６と電極体２０の負極板２２との導通は維持される。
【００２８】
さらに本形態の負極端子１３２の上面１３４には，図１に示すように，工具穴１３３が形成されている。工具穴１３３は，負極端子１３２を貫通していない止まり穴であり，電池ケース１０の内部には連通していない。本形態の工具穴１３３は，図２に示すように，一般的な六角棒スパナに対応した大きさおよび形状の六角穴である。
【００２９】
負極端子１３２は，工具穴１３３に工具を差し込んで，図２において反時計回りにひねることにより，ある程度の角度，回転させることができる。また，負極端子１３２をひねることにより，負極端子１３２と接続されている負極内部端子１４２も一体として，反時計回りに回転することとなる。なお，負極端子１３２や負極内部端子１４２は，電池１００が通常の使用時に受ける振動などによっては回転されないように電池ケース１０の蓋材１２に固定されている。
【００３０】
この電池１００を使用中に何らかの原因で内圧が上昇し，通常圧の上限を超えて高くなってしまうことがあるかもしれない。そして，内圧がＣＩＤ４０の作動圧力を超えると，ＣＩＤ４０が作動し，正極内部端子１４１と正極端子１３１との導通が遮断される。このようになると，電池１００の外部に出ている正極端子１３１は，もはや電極体２０の正極板２１とは導通していない。
【００３１】
従って，ＣＩＤ４０が作動した電池１００は，正極端子１３１と負極端子１３２との間に電圧が印加されたとしても，電極体２０には電圧は加わらないので，それ以上充電されるおそれはない。また，ＣＩＤ４０が作動した電池１００の正極端子１３１と負極端子１３２とを，電池ケース１０の外部で単に接続したとしても，そのままでは放電することはできない。
【００３２】
また，ＣＩＤ４０が作動した電池１００は，そのまま再使用することはできない。よって，ＣＩＤ４０が作動した電池１００には，これを資源として再利用するための処置などがなされる。しかし，ＣＩＤ４０が作動した電池１００は，たいてい過充電された状態となっている。そのため，そのままでは取扱に相当の注意を要する。そして，本形態の電池１００は，ＣＩＤ４０が作動した後に，容易に放電させることができるものである。放電後の電池１００は，取扱に特別の注意が必要とされることはない。
【００３３】
ＣＩＤ４０が作動した本形態の電池１００を放電させる場合には，負極端子１３２を回転させる。具体的には，負極端子１３２の工具穴１３３に六角棒スパナを差し込み，図２において反時計回りに回転させる。このとき，負極端子１３２と接合されている負極内部端子１４２についても回転する。これにより，負極内部端子１４２の負極凸部１４６は，図２に破線で示す位置まで回転し，正極内部端子１４１の正極凸部１４５と接触する。
【００３４】
ここで，ＣＩＤ４０が作動した電池１００においても，正極凸部１４５と正極板２１との導通，および，負極凸部１４６と負極板２２との導通は維持されている。このため，負極凸部１４６を回転させ，正極凸部１４５と負極凸部１４６とを接触によって導通させることにより，正極板２１と負極板２２とが通電される。これにより，電池１００を強制的に放電させることができる。すなわち，本形態の電池１００は，電池ケース１０を開封することなく，電池ケース１０を密閉状態としたまま強制的に放電させることができる。よって，電池ケース１０内に封入されている電解液３０が漏れるなどのおそれがない。さらには，電池１００における強制放電のための構成は，簡素である。
【００３５】
なお，本形態の電池１００は，正極内部端子１４１と正極端子１３１との間にＣＩＤ４０を有するものである。しかし，負極内部端子１４２と負極端子１３２との間にＣＩＤ４０を有していてもよい。すなわち，強制放電のために回転できる構成とした端子の側に，ＣＩＤ４０を設けることもできる。
【００３６】
また本形態では，正極内部端子１４１および負極内部端子１４２の両方に，それぞれ凸部である正極凸部１４５および負極凸部１４６を形成した構成としている。しかし，凸部は，少なくとも強制放電のために回転できる構成とした内部端子の側に形成されていればよい。例えば，負極凸部１４６の長さを正極凸部１４５の根本にまで届く長さとした場合，正極内部端子１４１には，負極凸部１４６が回転により接触できる通電部分があれば足りる。
【００３７】
また例えば，工具穴１３３は六角穴に限られず，負極端子１３２を回転させることのできる形状であればよい。すなわち，負極端子１３２の上面１３４には溝を形成しておき，マイナスドライバーにより回転させてもよい。また，負極端子１３２の外形の形状を六角形とし，六角レンチにより回転させてもよい。また例えば，正極端子１３１に工具穴を設け，正極端子１３１をひねることにより正極内部端子１４１を回転させて強制放電を行う構成であってもよい。
【００３８】
［第２の形態］
第２の形態について説明する。本形態の二次電池は，第１の形態の二次電池と異なる負極内部端子を有する。図３に，本形態の電池２００を示す。図３は，第１の形態における図２に相当する。本形態の電池２００は，負極内部端子２４２の負極凸部２４６が第１の形態と異なるのみであって，その他の構成については第１の形態と同じである。すなわち，本形態においても，負極端子１３２は，電池ケース１０の内部に位置する負極内部端子２４２を介して，電極体２０の負極板２２に接続されている。
【００３９】
本形態の負極内部端子２４２についても，通常時には，図３に示すように，電池ケース１０や正極凸部１４５に導通されないように配置されている。また本形態においても，負極内部端子２４２は，負極端子１３２と接続されているため，負極端子１３２をひねることにより回転させることができる。そして，その回転によって正極凸部１４５に接触する負極凸部２４６の部分には，図３に示すように，抵抗体２４７が設けられている。抵抗体２４７は，正極内部端子１４１やその正極凸部１４５，負極内部端子２４２のその他の部分よりも電気抵抗の高い材料のものである。
【００４０】
そして，本形態においても，ＣＩＤ４０が作動した電池２００を放電させる際には，負極端子１３２を，六角棒スパナによって図３において反時計回りにひねることにより回転させる。そして，負極凸部２４６の抵抗体２４７を，正極凸部１４５に接触させる。これにより，正極板２１と負極板２２とを抵抗体２４７を介して通電させ，電池２００を強制的に放電させることができる。
【００４１】
このような本形態の電池２００の強制放電において，正極板２１と負極板２２との電流経路の間には，抵抗体２４７が存在する。よって，強制放電時の電池２００の発熱を抑制することができる。正極板２１と負極板２２との間に流れる電流が，抵抗体２４７によって低減されるからである。さらには，正極板２１と負極板２２とが通電された瞬間に発生する放電火花を抑制することができる。正極板２１と負極板２２とが通電される瞬間に流れる電流が，抵抗体２４７によって低減されるからである。従って，本形態の電池２００は，安全に強制放電させることができる。なお，強制放電時の発熱を好適に抑制するため，抵抗体２４７は，負極内部端子２４２の回転によって正極凸部１４５と負極凸部２４６とが接触したときに形成される電流経路において，電気抵抗が１Ω以上となるような大きさおよび材質であることが好ましい。
【００４２】
なお，本形態の電池２００においては，抵抗体２４７は，負極凸部２４６のうち，負極内部端子２４２の回転により正極凸部１４５に接触する部分に設けている。しかし，抵抗体は，負極内部端子２４２の回転により形成される正極板２１と負極板２２との電流経路の間に存在すればよい。すなわち，正極内部端子１４１の正極凸部１４５に抵抗体を設ける構成としてもよい。
【００４３】
［第３の形態］
第３の形態について説明する。本形態の二次電池は，第１の形態などとは異なり，注液口を封止する注液栓を回転させることによって強制放電させることができる構成である。図４に，本形態の電池３００の断面図を示す。また図５は，図４に示すＢ−Ｂ断面による電池３００の断面図である。
【００４４】
まず，図４に示すように，本形態の電池ケース３１０の蓋材３１２には，電池ケース３１０の内部に電解液３０を注入するための注液口３１３が形成されている。また，注液口３１３は，電解液３０の注入後に，注液栓３５０によって封止されている。注液栓３５０は，電池ケース３１０の外側に露出している露出部３５１と，電池ケース３１０の内部に位置する導電部３５２とを有する。
【００４５】
本形態の負極端子３３２には，第１の形態などとは異なり，工具穴が形成されていない。なお，本形態においても，正極内部端子３４１は，正極端子１３１と電極体２０の正極板２１とに接続されているとともに，負極内部端子３４２側に向かって突出した正極凸部３４５を有している。また，負極内部端子３４２は，負極端子３３２と電極体２０の負極板２２に接続されているとともに，正極内部端子３４１側に向かって突出した負極凸部３４６を有している。
【００４６】
注液栓３５０の露出部３５１の上面３５４には，工具穴３５３が形成されている。工具穴３５３は，図４に示すように，注液栓３５０を貫通していない止まり穴であり，電池ケース３１０の内部には連通していない。また，工具穴３５３は，図５に示すように，一般的な六角棒スパナに対応した大きさおよび形状の六角穴である。導電部３５２は，導電性を有する材質のものである。導電部３５２は，図５に示すように，長円形状をしている。また，通常時の導電部３５２は，図５において実線で示すように，正極凸部３４５および負極凸部３４６とは導通されないように配置されている。なお，ＣＩＤ４０が作動した後であっても，導電部３５２が正極凸部３４５や負極凸部３４６とは導通されない状態は維持される。
【００４７】
注液栓３５０は，露出部３５１の工具穴３５３に工具を差し込んで，図５において反時計回りにひねることにより，ある程度の角度，回転させることができる。これにより，注液栓３５０の電池ケース３１０内に位置する導電部３５２も回転することとなる。なお，注液栓３５０は，電池３００が通常の使用時に受ける振動などによっては回転されないように電池ケース３１０の蓋材３１２に固定されている。
【００４８】
そして，ＣＩＤ４０が作動した本形態の電池３００を放電させる場合には，注液栓３５０を回転させる。具体的には，注液栓３５０を，その露出部３５１の工具穴３５３に六角棒スパナを差し込み，図５において反時計回りにひねる。これにより，注液栓３５０の導電部３５２を図５に破線で示す位置まで回転させ，正極凸部３４５と負極凸部３４６とのいずれにも接触させる。よって，正極板２１と負極板２２とが通電され，電池３００を強制的に放電させることができる。すなわち，本形態の電池３００においても，電池ケース３１０を密閉状態としたまま強制的に放電させることができる。よって，電池ケース３１０内に封入されている電解液３０が漏れるなどのおそれがない。さらには，電池３００における強制放電のための構成についても，簡素である。
【００４９】
また，本形態においても，第２の形態のように，負極凸部３４６の導電部３５２との接触する部分に抵抗体を設けてもよい。また例えば，注液栓３５０の導電部３５２に正極内部端子３４１や負極内部端子３４２よりも電気抵抗の高いものを用い，注液栓３５０の導電部３５２を抵抗体としてもよい。これらの場合にも，抵抗体は，注液栓３５０の回転によって形成される正極板２１と負極板２２との間の電流経路において，電気抵抗が１Ω以上となるような大きさおよび材質であることが好ましい。電池３００を，安全に強制放電させることができるからである。
【００５０】
以上詳細に説明したように本発明の二次電池は，ＣＩＤ４０が作動した状態であっても，電池ケースの外側の外部端子，あるいは，注液栓を回転させることにより，強制的に放電させることができる。これにより，ＣＩＤ４０が作動した後であっても安全かつ容易に処分することができる二次電池が実現されている。また，その強制放電のための二次電池における構成は，簡素である。
【００５１】
なお，本形態は単なる例示にすぎず，本発明を何ら限定するものではない。したがって本発明は当然に，その要旨を逸脱しない範囲内で種々の改良，変形が可能である。例えば，上記の形態では，電極体を帯状の正負の電極板とセパレータとを重ねて平たく捲回して構成した捲回型のものとして説明したが，正負の電極板とセパレータとを平積みにより積層してなる積層型の電極体を有する二次電池にも適用することができる。
【符号の説明】
【００５２】
１０  電池ケース
２０  電極体
３０  電解液
４０  ＣＩＤ
１００  電池
１３１  正極端子
１３２  負極端子
１４１  正極内部端子
１４２  負極内部端子
１４５  正極凸部
１４６  負極凸部
【図１】
2014086140.tif 000003
【図２】
2014086140.tif 000004
【図３】
2014086140.tif 000005
【図４】
2014086140.tif 000006
【図５】
2014086140.tif 000007